(57)【特許請求の範囲】
【請求項１】
入光面と、反射面と、出光面から成り、上記入光面は光源から発射される光を受けるように配置され、上記反射面および上記出光面の少なくとも一面には、上記入光面に平行に走向する複数の棒状導光体を設置し、該導光体は、その断面がＶ字型であって、設置面の表面から凹入あるいは突出すると共に、少なくともその一端側に斜端面を形成して、成る導光板において、
上記複数の導光体は、上記入光面に近い領域で相互に間隔が広い設置であり、上記入光面から遠い領域ほど相互の間隔が狭い設置であることを特徴とする多重構面の光導構造。
【請求項２】
入光面と、反射面と、出光面から成り、上記入光面は光源から発射される光を受けるように配置され、上記反射面および上記出光面の少なくとも一面には、上記入光面に平行に走向する複数の棒状導光体を設置し、該導光体は、その断面がＶ字型であって、設置面の表面から凹入あるいは突出すると共に、少なくともその一端側に斜端面を形成して、成る導光板において、
上記導光体は、上記入光面に近い領域で長さが短くて、相互に間隔をあけて多数設置することを特徴とする多重構面の光導構造。
【発明の詳細な説明】
【技術分野】
【０００１】
本発明は多重構面の光導構造に関し、詳細には、導光板が設置する棒状の導光体形体の変化設計、及び、導光板の分布配置で、導光板の出光効率を増加する光導構造に関する。
【背景技術】
【０００２】
バックライトモジュール中の導光板は、モジュール中において、極めて重要な素子であり、主に、光源のモジュール中の伝導、及び、モジュール外の出力を実行する。
【０００３】
図１で示されるように、導光板は出光面１１、出光面１１と相対位置の反射面１２、及び、少なくともそれぞれ出光面１１、及び、反射面１２に連接する入光面１３、からなる。出光面１１は、光源が導光板１から離れるよう引導する。反射面１２は、その面に入射する光源を反射し、光源の進行方向を変更し、導光板１の出光面１１方向に進ませる。入光面１３は、ランプからの光源を受け、光源を導光板１内部に伝達する。
【０００４】
光源の更に好ましい応用状況を得るため、導光板１の出光面１１、或いは、反射面１２の両者中一者は、複数の棒状の導光体１４を設置する。棒状の導光体１４の断面はV字型で、設置面から凹入、或いは、突出する。光源が棒状の導光対４に入射するとき、光源がこれらの棒状導光体１４の二側斜辺を経て、反射と屈折を発生し、光源の集光が導光板１出光の輝度表現を増進する。
【０００５】
棒状導光体１４の応用は、導光板１の業者が長く運用している技術で、好ましい応用効果を達成し、多くのメーカーが棒状導光体１４の設置間隔、設置密度、及び、斜辺の傾斜角度などを変化させている。しかし、これらの設計の変化は、既に、日増しに高まる要求を満たすことができなくなっている。
【発明の開示】
【発明が解決しようとする課題】
【０００６】
本発明の目的は、多重構面の光導構造を提供し、公知の導光板の棒状導光体の光源が作用不足で、高輝度を発光できない欠点を改善することにある。
【課題を解決するための手段】
【０００７】
本発明の多重構面の光導構造の反射面、或いは、出光面の少なくとも一面が、複数の凹入、或いは、突出した棒状の導光体を設置し、棒状の導光体の断面はV字型で、二斜辺面を有し、少なくとも一側端が本体中央に向かって傾斜する斜端面を形成し、光源は、棒状の導光体の二側辺の斜辺面から作用する以外に、更に、棒状の導光体が斜端面をなすので、光源が更に多くの作用界面を生成し、導光板の出光効率を増加する。
【発明の効果】
【０００８】
本発明の多重構面の光導構造は、公知の導光板の棒状導光体の光源が作用不足で、高輝度を発光できない欠点を改善する。
【発明を実施するための最良の形態】
【０００９】
本発明の多重構面の光導構造は、まず、図２を参照すると、導光板２は、良好な透光性を有する材質からなり、出光面２１、出光面２１と相対位置の反射面２２、及び、少なくともそれぞれ出光面２１、及び、反射面２２に連接する入光面２３、からなる。出光面２１、及び、反射面２２両者の少なくとも一者は、複数の棒状の導光体２４を設置し、設置面から凹入、或いは、突出し、これらの棒状の導光体２４の断面はV字型で、二斜辺面２４１を有し、棒状導光体２４中の二斜辺面２４１は、それぞれ、設置面と連接する角度が、相同か不相同で、棒状導光体２４の少なくとも一側端が、更に、もう一側端に傾斜する斜端面２４２を形成する。
【００１０】
図３で示されるように、棒状導光体２４は突出して出光面２１に設置されるものを例とする。光源は、導光板２の入光面２３から内部に進入後、光源が入光面２３から導光板２のもう一方に伝達され、光源が反射面２２中の棒状導光体２４に入射する時、光源は、棒状光導体２４の二斜辺面２４１の作用により反射を生じ、光源の反射は、導光板２の出光面２１方向に前進する。この時、二斜辺面２４１により、光源が反射動作する以外に、棒状導光体２４の斜端面２４２が、光源を二斜辺面２４１と異なる方向の反射作用にし、各棒状導光体２４が光源作用の反射界面を増加させて、出光効率が増加する。
【００１１】
図４で示されるように、本発明の棒状導光体２４中の斜端面２４２設計中、棒状導光体２４が二斜端面２４２をなす場合、同一の棒状導光体２４中の二斜端面２４２は相同、或いは、異なる傾斜角度をなし、二つの相同、或いは、不相同の斜端面２４２の面積を構築し、棒状導光体２４の二端側は、光源の作用に対し相同か不相同で、光源作用に対する調整を達成する。
【００１２】
図５で示されるように、棒状導光体２４は、更に、斜端面２４２が大きく延伸して、もう一つの小さく延伸した斜端面と連接し、図６で示されるように、棒状導光体２４の一端は、斜端面２４２を有さず、棒状導光体２４のもう一端は、更に大きい斜端面２４２をなして、且つ、斜端面２４２から棒状導光体２４のもう一側端に延伸する。これにより、棒状導光体２４二側端の光源に対する作用のギャップが更に大きくなり、光源作用の調整は更に大きな空間を有する。
【００１３】
図７で示されるように、実施時、本発明の棒状導光体２４は導光板２に設置され、棒状導光体２４は導光板２４の異なる位置で、所在位置領域の光エネルギーが強かったり弱かったりする異なる状況下で、棒状導光体２４が入光面２３に近い領域の時、相互に間隔が広い設置である。反対に、入光面２３から遠い領域ほど相互の間隔が狭い設置とされる。
また、図８で示されるように、本発明の棒状導光体２４が導光板２に設置される時、局部の分布設置が、上記入光面に近い領域で長さが短くて、相互に間隔をあけて多数設置される。従って、棒状導光体２４の数量が多く、斜端面２４２が相対して倍増するので、斜端面２４２の光源の異なる方向作用が大きくなり、設置領域中の光源の異なる方向の光エネルギー補償作用に効果がある。
【図面の簡単な説明】
【００１４】
【図１】公知の導光板の構造図である。
【図２】本発明の導光板構造図である。
【図３】本発明が実施する光源運動図である。
【図４】本発明の導光板の棒状導光体の実施例図である。
【図５】本発明の導光板の棒状導光体のもう一つの実施例図である。
【図６】本発明の導光板の棒状導光体の更にもう一つの実施例図である。
【図７】本発明の棒状導光板の導光板中の設置分布図である。
【図８】本発明の棒状導光板の導光板中のもう一つの設置分布図である。
【符号の説明】
【００１５】
１        導光板
１１      出光面
１２      反射面
１３    入光面
１４    棒状導光体
２      導光板
２１    出光面
２２    反射面
２３    入光面
２４    棒状導光体
２４１  斜辺面
２４２  斜端面
【図１】
0004737693.tif 000002
【図２】
0004737693.tif 000003
【図３】
0004737693.tif 000004
【図４】
0004737693.tif 000005
【図５】
0004737693.tif 000006
【図６】
0004737693.tif 000007
【図７】
0004737693.tif 000008
【図８】
0004737693.tif 000009